(57)【要約】      （修正有）【課題】店頭での商品のアッピール性があり、かつ、包装コストが安価である鏡餅用包装体を提供する。【解決手段】スリーブ１０が、折れ線を介して、下敷き片、裏側板、保持板、中側板、底板、側板、頂板、側板、カバー片を順次連設してなり、底板の内面に鏡餅本体を収容したトレー２０が載置され、中側板と保持板と裏側板とが折り曲げられてトレーのトレー側板を挟むようにコの字形状に形成され、下敷き片が鏡餅本体の鏡餅底板とトレー２０のトレー底板との間に差し込まれてスリーブの一方の端部が固定され、鏡餅本体３０が頂板により包み込まれ、側板が中側板に重ねられ、カバー片が底板に固定されて、また、キャップ状のプラスチック容器に収納した橙５０がセットされること、扇が保持されること、鏡餅底板とトレー２０底板との間に支持台が収納され、トレー２０とで三方Ｄを組み立てることを可能にしている。【選択図】図１
2010235155.tif 000002
【特許請求の範囲】
【請求項１】
鏡餅本体３０が収納されたスリーブ１０とトレー２０とからなる鏡餅用包装体であって、
前記スリーブ１０が、折れ線を介して、下敷き片１１、裏側板１２、中側板１３、底板１４、側板１５、頂板１６、側板１７、カバー片１８を順次連設してなり、
前記底板１４の内面に鏡餅本体３０を収容した前記トレー２０が載置され、前記トレー２０のトレー側板２２が前記中側板１３と前記裏側板１２とで挟まれ、前記下敷き片１１が前記鏡餅本体３０の鏡餅底板３１と前記トレー２０のトレー底板２１との間に差し込まれて前記スリーブ１０の一方の端部が固定され、前記鏡餅本体３０が前記頂板１６により包み込まれ、前記側板１７が前記中側板１３に重ねられ、前記カバー片１８が前記底板１４に固定されていることを特徴とする鏡餅用包装体。
【請求項２】
鏡餅本体３０が収納されたスリーブ１０とトレー２０とからなる鏡餅用包装体であって、
前記スリーブ１０が、折れ線を介して、下敷き片１１、裏側板１２、保持板１９、中側板１３、底板１４、側板１５、頂板１６、側板１７、カバー片１８を順次連設してなり、
前記底板１４の内面に鏡餅本体３０を収容した前記トレー２０が載置され、前記中側板１３と前記保持板１９と前記裏側板１２とが折り曲げられて前記トレー２０のトレー側板２２を挟むようにコの字形状に形成され、前記下敷き片１１が前記鏡餅本体３０の鏡餅底板３１と前記トレー２０のトレー底板２１との間に差し込まれて前記スリーブ１０の一方の端部が固定され、前記鏡餅本体３０が前記頂板１６により包み込まれ、前記側板１７が前記中側板１３に重ねられ、前記カバー片１８が前記底板１４に固定されていることを特徴とする鏡餅用包装体。
【請求項３】
前記頂板１６が、両側板から中央に向かって幅狭になるような形状であることを特徴とする請求項１又は２に記載の鏡餅用包装体。
【請求項４】
前記頂板１６の中央部に橙用穴１６ａが設けられ、キャップ状のプラスチック容器に収納した橙５０がセットされることを特徴とする請求項１又は２に記載の鏡餅用包装体。
【請求項５】
前記保持板１９に扇保持穴１９ａを設けられ、扇６０が保持されることを特徴とする請求項２に記載の鏡餅用包装体。
【請求項６】
前記保持板１９と前記中側板１３の折れ線ｈ上には、前記中側板１３側に突出する爪ｈ´が設けられ、前記頂板１６と前記側板１７の折れ線ｆ上には、爪ｈ´と対応する位置に、切り込みｆ´が設けられていることを特徴とする請求項２に記載の鏡餅用包装体。
【請求項７】
前記鏡餅本体３０の前記鏡餅底板３１と前記トレー２０の前記トレー底板２１との間に支持台４０が収納され、前記トレー２０とで三方Ｄを組み立てることを可能にしていることを特徴とする請求項１又は２に記載の鏡餅用包装体。
【発明の詳細な説明】
【技術分野】
【０００１】
本発明は、鏡餅本体と三方と鏡餅用装飾品等を一体に収納する鏡餅用包装体に関するものである。
【背景技術】
【０００２】
一般に、正月には鏡餅がお供えされるが、鏡餅を大小二段重ねにした状態でプラスチック製の鏡餅形状容器に包装して、さらに、板紙や段ボール製などのカートンに入れて包装したものが市販されている。また、一枚のスリーブで鏡餅本体と鏡餅用装飾品を収納する形状も提案されている（例えば、特許文献１を参照。）。
【特許文献１】特開２０００−４３９３５公報
【０００３】
このような鏡餅は、通常は木製の三方などの台に載せてお供えする場合が多いが、最近では簡便に組み立てることができる紙製の三方を使用する場合が多くなっており、この紙製の三方では、鏡餅と共に組み立てる前の皿状の受け皿と折り畳まれた支持台とがカートンの中に収納され、消費者がカートンを開封した後に組み立てて使用するという形態となっている（例えば、特許文献２を参照。）。
【特許文献２】特開平１１−１８７８３５号公報
【発明の開示】
【発明が解決しようとする課題】
【０００４】
しかしながら、鏡餅を包装するカートンの中に、鏡餅と共に紙製の三方に組み立てるための皿状の受け皿と折り畳まれた支持台とが収納されており、開封後にカートンは不要となり、廃棄されて、無駄となっている。
【０００５】
また、鏡餅をカートンの中に収納した場合、商品をアッピールする観点からも外から中身を見ることができるように、窓を設ける必要がありコストアップに繋がるという欠点がある。そこで、無駄を解消するために、鏡餅を包装したカートンを使用後に利用して消費者が簡単に三方を組み立てることができ、かつ、販売時点で中身が外から見ることができる形態が望まれている。
【０００６】
本発明は、鏡餅本体、三方、鏡餅用装飾品等を一体に収納することができることを特徴とし、店頭での商品のアッピール性があり、かつ、包装コストが安価であることを特徴とする鏡餅用包装体を提供することを目的とするものである。
【課題を解決するための手段】
【０００７】
上記の課題を解決するための請求項１に記載の発明は、鏡餅本体３０が収納されたスリーブ１０とトレー２０とからなる鏡餅用包装体であって、前記スリーブ１０が、折れ線を介して、下敷き片１１、裏側板１２、中側板１３、底板１４、側板１５、頂板１６、側板１７、カバー片１８を順次連設してなり、前記底板１４の内面に鏡餅本体３０を収容した前記トレー２０が載置され、前記トレー２０のトレー側板２２が前記中側板１３と前記裏側板１２とで挟まれ、前記下敷き片１１が前記鏡餅本体３０の鏡餅底板３１と前記トレー２０のトレー底板２１との間に差し込まれて前記スリーブ１０の一方の端部が固定され、前記鏡餅本体３０が前記頂板１６により包み込まれ、前記側板１７が前記中側板１３に重ねられ、前記カバー片１８が前記底板１４に固定されていることを特徴とする鏡餅用包装体である。
【０００８】
また、請求項２に記載の発明は、鏡餅本体３０が収納されたスリーブ１０とトレー２０とからなる鏡餅用包装体であって、前記スリーブ１０が、折れ線を介して、下敷き片１１、裏側板１２、保持板１９、中側板１３、底板１４、側板１５、頂板１６、側板１７、カバー片１８を順次連設してなり、前記底板１４の内面に鏡餅本体３０を収容した前記トレー２０が載置され、前記中側板１３と前記保持板１９と前記裏側板１２とが折り曲げられて前記トレー２０のトレー側板２２を挟むようにコの字形状に形成され、前記下敷き片１１が前記鏡餅本体３０の鏡餅底板３１と前記トレー２０のトレー底板２１との間に差し込まれて前記スリーブ１０の一方の端部が固定され、前記鏡餅本体３０が前記頂板１６により包み込まれ、前記側板１７が前記中側板１３に重ねられ、前記カバー片１８が前記底板１４に固定されていることを特徴とする鏡餅用包装体である。
【０００９】
また、請求項３に記載の発明では、請求項１又は２に記載の発明に加えて、前記頂板１６が、両側板から中央に向かって幅狭になるような形状であることを特徴とし、また、請求項４に記載の発明では、請求項１又は２に記載の発明に加えて、前記頂板１６の中央部に橙用穴１６ａが設けられ、キャップ状のプラスチック容器に収納した橙５０がセットされることを特徴とし、また、請求項５に記載の発明では、請求項１又は２に記載の発明に加えて、前記保持板１９に扇保持穴１９ａを設けられ、扇６０が保持されることを特徴とし、また、請求項６に記載の発明では、前記保持板１９と前記中側板１３の折れ線ｈ上には、前記中側板１３側に突出する爪ｈ´が設けられ、前記頂板１６と前記側板１７の折れ線ｆ上には、爪ｈ´と対応する位置に、切り込みｆ´が設けられていることを特徴とし、さらに、請求項７に記載の発明では、請求項１又は２に記載の発明に加えて、前記鏡餅本体３０の前記鏡餅底板３１と前記トレー２０の前記トレー底板２１との間に支持台４０が収納され、前記トレー２０とで三方Ｄを組み立てることを可能にしていることを特徴とするものでる。
【発明の効果】
【００１０】
本発明の鏡餅用包装体は、鏡餅本体が収納されたトレー、鏡餅用装飾品を一体としてスリーブで包装する形状であり、少ない包装材料でもって、鏡餅本体、鏡餅用装飾品をコンパクトに包装することができ、外から鏡餅を一見して視認することができ、店頭での商品のアピール性が高くすることができるという効果を有している。
また、トレーを紙製の三方の受け皿とすることができ、そのトレーと収納した支持台とにより購買者が容易に三方を組み立てることができ、受け皿を別に作製する場合の皿状に加工する工程を省くことができ、全体として材料および工程の削減ができ、コストを安くすることができるという効果を有している。
また、頂板の中央に穴を設けていることによって、キャップ状のプラスチック容器に収納した橙を鏡餅の頂部に保持することができるという効果を有している。
さらに、中側板と裏側板の間に、保持板を設けることによって、扇を包装体の中に保持することができる。
このように、鏡餅を収納する包装体の中に、鏡餅と共に、三方部材、鏡餅用装飾品等を一体に収納することができるという効果を有している。
【発明を実施するための最良の形態】
【００１１】
本発明の鏡餅用包装体の実施の形態を以下に詳細に説明する。
図１は、本発明の鏡餅用包装体の一実施例を示す斜視図および断面図であり、図２は、本発明の鏡餅用包装体を構成するスリーブのブランクの一例を示す展開図であり、図３は、本発明の鏡餅用包装体を構成するスリーブのブランクの他の例を示す展開図であり、図４は、本発明の鏡餅用包装体を構成するトレーの一例を示す斜視図およびブランクの展開図であり、図５は、本発明の鏡餅用包装体の一実施例を組み立てて内容物を収納する過程を示す斜視図であり、図６は、本発明の鏡餅用包装体の他の実施例を組み立てて内容物を収納する過程を示す斜視図であり、図７は、本発明の鏡餅用包装体の実際に三方に組み立てた状態を示す斜視図である。
【００１２】
鏡餅用包装体１は、図１に示すように、主に、スリーブ１０と三方Ｄの受け皿となるトレー２０とからなり、さらに、中には鏡餅本体３０、折り畳まれた三方Ｄの支持台４０が収納されている。また、橙５０、扇６０などの鏡餅用装飾品も収納することもできる包装体である。
【００１３】
すなわち、本発明の鏡餅用包装体１では、スリーブ１０で全体を包装する形状であり、最小限の材料を使用して形成することが可能で、かつ、開封後に、収納した鏡餅本体３０、折り畳まれた三方Ｄの支持台４０などの必要な鏡餅用装飾品を取り出し、トレー２０を三方Ｄの受け皿として利用することができる包装体である。
【００１４】
図２は、スリーブ１０のブランクの展開図の一例である。ブランク１０Ａは、折れ線ａ、ｂ、ｃ、ｄ、ｅ、ｆ、ｇを介して下敷き片１１、裏側板１２、中側板１３、底板１４、側板１５、頂板１６、側板１７、カバー片１８を順次連設している。底板１４は、三方Ｄの受け皿となるトレー２０を置くことからトレー２０のトレー底板２１と略同形の正方形とすることが好ましい。また、頂板１６は、両側板から中央に向かって幅狭になるよう形状としている。頂板１６の外側線は曲線状、直線状、または両方を組み合わせてもよい。このような形状とすることにより、中身の鏡餅Ｃを外から見やすくし、デザイン的にも好ましいものとしている。この頂板１６の中央部の鏡餅本体３０の天頂部に位置する部分には、橙５０をセットする橙用穴１６ａを設けている。図に示すように、キャップ状のプラスチック容器に収納した橙５０をこの橙用穴１６ａに差し込み固定することができる。
【００１５】
図３は、スリーブ１０のブランクの展開図の他の例である。ブランク１０Ｂは、折れ線ａ、ｂ、ｈ、ｃ、ｄ、ｅ、ｆ、ｇを介して下敷き片１１、裏側板１２、中側板１３、底板１４、側板１５、頂板１６、側板１７、カバー片１８を順次連設している。このブランク１０Ｂは、ブランク１０Ａに加えて、裏側板１２と中側板１３の間に、扇６０を保持する保持板１９を連設している。この保持板１９には、扇６０を保持する扇保持穴１９ａ、１９ａを設け、この扇保持穴１９ａ、１９ａに扇６０の足を差し込むことにより、扇６０を保持することができる。
また、保持板１９と中側板１３の折れ線ｈ上には、中側板１３側に突出する爪用切り込みｈ´を設け、頂板１６と側板１７の折れ線ｆ上には、爪ｈ´と対応する位置に、切り込みｆ´を設けることが好ましく、頂板１６と側板１７を折り曲げた状態で、爪用切り込みｈ´が切り込みｆ´に嵌りトレー２０のトレー側板２２の上端をロックすることができる。
【００１６】
また、ブランク１０の素材としては、板紙、段ボールシート、ポリプロピレン（ＰＰ）、ポリエチレン（ＰＥ）などのポリオレフィン系樹脂、スチレン系樹脂、ポリエチレンテレフタレート（ＰＥＴ）などのポリエステル系樹脂、ポリメチルメタクリレートなどのアクリル系樹脂などの熱可塑性樹脂からなるプラスチックシート、あるいはこれらを主体としてプラスチックフィルムなどを組み合わせた複合シートなどを使用することができる。
【００１７】
トレー２０は、図４−ａに示すように、鏡餅本体３０の鏡餅底板３１に合わせた正方形とし、鏡餅Ｃがぐらつかないように、そして、三方Ｄの受け皿として利用することができるようにトレー底板２１の四辺に低いトレー側板２２を設けたトレー形状としている。また、三方Ｄの受け皿となることから、トレー側板２２は金色とするか、あるいは、一般にお供え物を置くために形成される絵柄、模様などの印刷を施している。
【００１８】
このトレー２０の一例として、一枚の紙からなるブランクを組み立てて作成することができ、図４−ｂに示すような一枚の紙のブランク２０Ａを組み立てて作成することができる。トレー底板２１には、三方Ｄを構成する図４−ｃに示すような支持台４０を差し込むための支持台差し込み口２１ａを設けている。
【００１９】
鏡餅本体３０は、鏡餅Ｃをプラスチック製容器で包装した形状であり、二段重ねの鏡餅形状の外観を有し、底部から餅を密封した後、トレー２０のトレー底板２１の正方形に近い形状のプラスチック製シートの鏡餅底板３１を貼着して封止している。このような形状とすることによって、鏡餅Ｃが立位で安定すると共に、スリーブ１０の下敷き片１１を鏡餅底板３１とトレー２０のトレー底板２１との間で固定しやすくなる。
【００２０】
支持台４０は、図４−ｃに示すように、トレー２０と三方Ｄを組み立てるための台となる部分であり、包装されている段階では、図４−ｄに示すように、折り畳んで鏡餅本体３０の鏡餅底板３１とトレー２０のトレー底板２１との間に収納する。支持台４０の素材としては、スリーブ１０と同様に、板紙、段ボールシート、熱可塑性樹脂からなるプラスチックシート、あるいはこれらを主体としてプラスチックフィルムなどを組み合わせた複合シートなどを使用することができる。
【００２１】
つぎに、本発明の鏡餅用包装体１の組み立てについて説明する。上記ブランク１０Ａから鏡餅用包装体１を組み立てるには、まず、底板１４の内面に鏡餅本体３０を収容したトレー２０を載置する。つぎに、底板１４に連設した中側板１３を上側にトレー２０のトレー側板２２に沿って折り曲げ、裏側板１２を内側にトレー２０のトレー側板２２を挟むように折り返すと同時に、図５−ａに示すように、下敷き片１１を鏡餅本体３０の鏡餅底板３１とトレー２０のトレー底板２１との間に差し込むように折り曲げる。また、三方Ｄの支持台４０を鏡餅本体３０の鏡餅底板３１とトレー２０のトレー底板２１との間に収納する。このこのようにして、図５−ｂに示すように、スリーブ１０の一方の端部が固定される。
【００２２】
つぎに、底板１４に連設した側板１５を上側にトレー２０のトレー側板２２に沿って折り曲げ、さらに、図５−ｃに示すように、頂板１６を鏡餅本体３０を包むように折り曲げ、図５−ｅに示すように、側板１７が中側板１３に重なるようにし、最後に、図５−ｆに示すように、カバー片１８を内側が底板１４の端縁に重なるように折り曲げる。この時、図５−ｄに示すように、頂板１６の中央に設けた橙用穴１６ａが鏡餅本体３０の頂点に位置するようにして、橙用穴１６ａには橙５０を収納したキャップ状のプラスチック容器を挿入して保持する。そして、このカバー片１８を底板１４に固定するが、本例はテープ止める方法を示しているが、接着して止める方法、差し込み片を設け底板１４に設けた差し込み口に差し込む方法等でもよい。この様にして、図１−ａ、ｂに示すような鏡餅用包装体１を組み立てることができる。
【００２３】
つぎに、ブランク１０Ｂから組み立てる別の例を説明する。まず、底板１４の内面に鏡餅本体３０を収容したトレー２０を載置する。つぎに、底板１４に連設した中側板１３を上側にトレー２０のトレー側板２２に沿って折り曲げ、ついで、保持板１９を直角に内方に折り曲げ、さらに、裏側板１２を内側にトレー２０のトレー側板２２を挟むように折り曲げると同時に、図６−ａに示すように、下敷き片１１を鏡餅本体３０の鏡餅底板３１とトレー２０のトレー底板２１との間に差し込むように折り曲げる。また、三方Ｄの支持台４０を鏡餅本体３０の鏡餅底板３１とトレー２０のトレー底板２１との間に収納する。このようにして、図６−ｂに示すように、保持板１９が水平に形成されてスリーブ１０の一方の端部が固定される。そして、この保持板１９に設けた扇保持穴１９ａに扇の足を差し込んで保持することができる。
【００２４】
つぎに、ブランク１０Ａを組み立てる場合と同様に、底板１４に連設した側板１５を上側にトレー２０のトレー側板２２に沿って折り曲げ、さらに、図６−ｃに示すように、頂板１６を鏡餅本体３０を包むように折り曲げ、側板１７が中側板１３に重なるようにする。この時、頂板１６と側板１７を折り曲げた状態で、図６−ｅに示すように、保持板１９と中側板１３の折れ線ｈ上に設けた爪用切り込みｈ´が頂板１６と側板１７の折れ線ｆ上に設けた切り込みｆ´に嵌りトレー２０のトレー側板２２の上端をロックすることができる。最後に、図６−ｆに示すように、カバー片１８を内側が底板１４の端縁に重なるように底板１４に沿って折り曲げる。この様にして、図１−ｃに示すような鏡餅用包装体１を組み立てることができる。
【００２５】
実際に、内容物が収納された鏡餅用包装体１を購入した消費者は、まず、鏡餅用包装体１のスリーブ１０を外し、トレー１０に収納した鏡餅本体３０、そして支持台４０を取り出し、同時に、橙５０を収納したキャップ状のプラスチック容器を取り外して橙５０を取り出し、扇６０を保持板１９から取り外す。つぎに、支持台４０を取り出してトレー２０に設けた支持台差し込み口２１ａに支持台４０の突起部を差し込むことにより、図７に示すように、紙製の三方Ｄを組み立てることができる。
【産業上の利用可能性】
【００２６】
本発明は、鏡餅の包装形態として、鏡餅を、三方や鏡餅用装飾品と共に、一体に包装する包装体として好適に使用することができる。
【図面の簡単な説明】
【００２７】
【図１】本発明の鏡餅用包装体の一実施例を示す斜視図および断面図である。
【図２】本発明の鏡餅用包装体を構成するスリーブのブランクの一例を示す展開図である。
【図３】本発明の鏡餅用包装体を構成するスリーブのブランクの他の例を示す展開図である。
【図４】本発明の鏡餅用包装体を構成するトレーの一例を示す斜視図およびブランクの展開図である。
【図５】本発明の鏡餅用包装体の一実施例を組み立てて内容物を収納する過程を示す斜視図である。
【図６】本発明の鏡餅用包装体の他の実施例を組み立てて内容物を収納する過程を示す斜視図である。
【図７】本発明の鏡餅用包装体の実際に三方に組み立てた状態を示す斜視図である。
【符号の説明】
【００２８】
１    鏡餅用包装体
Ｃ    鏡餅
Ｄ    三方
１０    スリーブ
１０Ａ  ブランク
１０Ｂ  ブランク
１１    下敷き片
１２    裏側板
１３    中側板
１４    底板
１５    側板
１６    頂板
１６ａ  橙用穴
１７    側板
１８    カバー片
１９    保持板
１９ａ  扇保持穴
２０    トレー
２０Ａ  トレー用ブランク
２１    トレー底板
２１ａ  支持台差し込み口
２２    トレー側板
３０    鏡餅本体
３１    鏡餅底板
４０    支持台
５０    橙
６０    扇
ａ〜ｈ  折れ線
ｆ´  切り込み
ｈ´  爪用切り込み
【図１】
2010235155.tif 000003
【図２】
2010235155.tif 000004
【図３】
2010235155.tif 000005
【図４】
2010235155.tif 000006
【図５】
2010235155.tif 000007
【図６】
2010235155.tif 000008
【図７】
2010235155.tif 000009